(57)【要約】  ウェブ材料、特に紙又は厚紙を製造する機械のための織物帯であって、ウェブ材料側の第１の織物層（１１４）と機械側の第２の織物層（１１６）とを有し、第１の織物層（１１４）と第２の織物層（１１６）とはそれぞれ、接結糸方向で延びる接結糸（ｉ１〜ｉ２０）によって互いに結合される基本組織を有しており、該基本組織はそれぞれ接結糸方向に、及び接結糸方向に対して横方向に延びる基本組織糸（１〜５０，１１８，１２０）を有しており、接結糸（ｉ１〜ｉ２０）は第２の織物層（１１６）において接結糸方向で互いに続いて位置する複数の接結セグメント（Ｓ２）を形成しており、該接結セグメントでは、接結糸（ｉ１〜ｉ２０）が、接結糸方向に対して横方向に延びる、第２の織物層（１１６）の少なくとも１つの基本組織糸に結合されている形式のものにおいて、接結糸方向及び接結糸方向に対して横方向に延びる１つの接結糸リピートにおいて、第２の織物層（１１６）に形成される接結セグメント（Ｓ２）が、接結糸方向に対して、及び接結糸方向の横方向に対して傾斜して延びる接結セグメント対角線（Ｄ）に沿って配置されている。
2013513732.tif 000002
【特許請求の範囲】
【請求項１】
ウェブ材料、特に紙又は厚紙を製造する機械のための織物帯であって、ウェブ材料側の第１の織物層（１１４）と機械側の第２の織物層（１１６）とを有し、第１の織物層（１１４）と第２の織物層（１１６）とはそれぞれ、接結糸方向で延びる接結糸（ｉ１〜ｉ２０）によって互いに結合される基本組織を有しており、該基本組織はそれぞれ接結糸方向に、及び接結糸方向に対して横方向に延びる基本組織糸（１〜５０，１１８，１２０）を有しており、接結糸（ｉ１〜ｉ２０）は第２の織物層（１１６）において接結糸方向で互いに続いて位置する複数の接結セグメント（Ｓ２）を形成しており、該接結セグメントでは、接結糸（ｉ１〜ｉ２０）が、接結糸方向に対して横方向に延びる、第２の織物層（１１６）の少なくとも１つの基本組織糸に結合されている形式のものにおいて、
接結糸方向及び接結糸方向に対して横方向に延びる１つの接結糸リピートにおいて、第２の織物層（１１６）に形成される接結セグメント（Ｓ２）が、接結糸方向に対して、及び接結糸方向の横方向に対して傾斜して延びる接結セグメント対角線（Ｄ）に沿って配置されていることを特徴とする、ウェブ材料、特に紙又は厚紙を製造する機械のための織物帯。
【請求項２】
互いに隣接して位置している接結糸（ｉ１〜ｉ２０）が１つの接結糸対を形成している、請求項１記載の織物帯。
【請求項３】
１つの接結糸対の接結糸（ｉ１〜ｉ２０）が、互いに直接隣接して位置している、請求項２記載の織物帯。
【請求項４】
１つの接結糸対の接結糸（ｉ１〜ｉ２０）の間に、第２の織物層（１１６）の接結糸方向で延びる少なくとも１つの基本組織糸（１２０）及び／又は第１の織物層の接結糸方向で延びる少なくとも１つの基本組織糸が配置されている、請求項２記載の織物帯。
【請求項５】
接結糸（ｉ１〜ｉ２０）が第１の織物層（１１４）において接結糸方向で互いに続いて位置する複数の接結セグメント（Ｓ１）を形成しており、この接結セグメントでは、接結糸（ｉ１〜ｉ２０）が、接結糸方向に対して横方向で延びる第１の織物層（１１４）の少なくとも１つの基本組織糸（１，３，４８，５０）に結合されている、請求項１から４までのいずれか１項記載の織物帯。
【請求項６】
第１の織物層（１１４）において、１つの接結糸対の一方の接結糸（ｉ１〜ｉ２０）から成る接結セグメント（Ｓ１）と、同じ前記接結糸対の他方の接結糸（ｉ１〜ｉ２０）から成る接結セグメント（Ｓ１）とが接結糸方向で交互に互いに続いている、請求項２又は５記載の織物帯。
【請求項７】
転換点（Ｗ）において、各接結糸対の接結糸（ｉ１〜ｉ２０）が互いに交差しており、これら接結糸（ｉ１〜ｉ２０）の１つが第１の織物層（１１４）における接結セグメント（Ｓ１）を形成するために第１の織物層（１１４）へと転換していて、これらの転換点（Ｗ）は、１つの接結糸リピートにおいて複数の転換点対角線（Ｄｗ，Ｄｗ´）に沿って配置されている、請求項２又は５又は６記載の織物帯。
【請求項８】
前記複数の転換点対角線（Ｄｗ，Ｄｗ´）が、接結セグメント対角線（Ｄ）に対して平行に延びている、請求項７記載の織物帯。
【請求項９】
前記複数の転換点対角線（Ｄｗ，Ｄｗ´）が、接結セグメント対角線（Ｄ）に対して角度を成して延びている、請求項７記載の織物帯。
【請求項１０】
前記転換点対角線（Ｄｗ，Ｄｗ´）が、中断されることなく互いに並んで位置する転換点（Ｗ）の列を有した第１の形式の少なくとも１つの転換点対角線（Ｄｗ）と、転換点オフセット個所（Ｖ）によって中断される互いに並んで位置する転換点（Ｗ）の列を有する第２の形式の少なくとも１つの転換点対角線（Ｄｗ´）を含んでいる、請求項７から９までのいずれか１項記載の織物帯。
【請求項１１】
第１の形式の転換点対角線（Ｄｗ）と第２の形式の転換点対角線（Ｄｗ´）とが互いに、規則的なパターンで交互に存在している、請求項１０記載の織物帯。
【請求項１２】
転換点オフセット個所（Ｖ）が規則的なパターンで配置されている、請求項１０又は１１記載の織物帯。
【請求項１３】
第１の織物層（１１４）における接結セグメント（Ｓ１）の数の、第２の織物層（１１６）における接結セグメント（Ｓ２）の数に対する比が１よりも大きい、請求項５から１２までのいずれか１項記載の織物帯。
【請求項１４】
第１の織物層（１１４）の接結糸方向に対して横方向に延びる基本組織糸（１，３，…４８，５０）の数の、第２の織物層（１１６）の接結糸方向に対して横方向に延びる基本組織糸（２，４，…４７，４９）の数に対する比が１よりも大きい、請求項１から１３までのいずれか１項記載の織物帯。
【請求項１５】
少なくとも１つの接結セグメント対角線（Ｄ）において、ほぼ全ての互いに連続して位置している接結セグメント（Ｓ２）が、同じ形式の接結セグメント（Ｓ２）である、及び／又は、同じ形式の接結糸によって形成されている、請求項１から１４までのいずれか１項記載の織物帯。
【請求項１６】
少なくとも１つの接結セグメント対角線（Ｄ）において、異なる形式の接結セグメント（Ｓ２）及び／又は異なる形式の接結糸によって形成された接結セグメントが、互いに続いて位置している、請求項１から１５までのいずれか１項記載の織物帯。
【請求項１７】
少なくとも１つの接結セグメント対角線（Ｄ）に含まれる異なる形式の接結セグメント（Ｓ２）及び／又は異なる形式の接結糸によって形成された接結セグメントが、規則的なパターンにおいて互いに交互に存在している、請求項１６記載の織物帯。
【請求項１８】
１つの接結糸リピート内に、接結セグメント（Ｓ２）の互いに異なる分布及び／又は形式を有した、及び／又は異なる形式の接結糸によって形成された接結セグメントを有した複数の接結セグメント対角線（Ｄ，Ｄ´，Ｄ´´，Ｄ´´´）が存在している、請求項１から１７までのいずれか１項記載の織物帯。
【請求項１９】
１つの接結糸リピート内において、接結糸対を形成する接結糸（ｉ１〜ｉ２０）の互いに異なる延在を有した接結糸対の数が、１つの接結糸リピート内に存在する接結糸対の数よりも少ない、請求項２又は請求項２を引用する請求項３から１８までのいずれか１項記載の織物帯。
【請求項２０】
第１の織物層（１１４）における接結糸対の接結糸（ｉ１〜ｉ２０）が、第１の織物層（１１４）の組織を延長する、第１の織物層（１１４）の外見上の基本組織糸を形成する、請求項２又は請求項２を引用する請求項３から１９までのいずれか１項記載の織物帯。
【請求項２１】
接結糸方向における接結糸（ｉ１〜ｉ２０）のリピート長さが、接結糸方向における第１の織物層（１１４）及び／又は第２の織物層（１１６）の基本組織のリピート長さよりも大きい、請求項１から２０までのいずれか１項記載の織物帯。
【請求項２２】
請求項１から２１までのいずれか１項記載の少なくとも１つの織物帯を有した、ウェブ材料、特に紙又は厚紙を製造する機械。
【発明の詳細な説明】
【技術分野】
【０００１】
本発明は、ウェブ材料、特に紙又は厚紙を製造する機械のための織物帯であって、ウェブ材料側の第１の織物層と機械側の第２の織物層とを有し、第１の織物層と第２の織物層とはそれぞれ、接結糸方向で延びる接結糸によって互いに結合される基本組織を有しており、該基本組織はそれぞれ接結糸方向及び、接結糸方向に対して横方向に延びる基本組織糸を有しており、接結糸は第２の織物層において接結糸方向で互いに続いて位置する複数の接結セグメントを形成しており、該接結セグメントでは、接結糸が、接結糸方向に対して横方向に延びる、第２の織物層の少なくとも１つの基本組織糸に結合されている形式のものに関する。
【０００２】
ＷＯ２００８／０６８３１７Ａ１号明細書により公知のこのような形式のウェブ材料を製造する機械のための織物帯では、それぞれ基本組織を有した２つの織物層が、互いに対になって対応配置され、直接隣接して位置する接結糸によって互いに結合されている。各接結糸対の接結糸は、各転換点において両織物層の間で入れ替わっており、これらの接結糸は、一方では紙側の第１の織物層で、他方では走行側又は機械側の第２の織物層で接結セグメントを形成している。このような形式の接結セグメントは、その都度の接結糸が結合されている、接結糸方向に対して横方向に延びる各織物層の少なくとも１つの基本組織糸の上方で延びている。この場合、結合されているとは、接結糸が、基本組織糸のそれぞれ他方の織物層とは反対の側の周りに案内され、従ってこの基本組織糸を、ひいては基本組織全体を、その都度他方の織物層に結合することを意味している。この特許文献からは、接結セグメント、特に、第１の織物層に形成される接結セグメントが公知であり、これらの接結セグメントは例えば、５つの基本組織糸にわたって延びており、この場合、関与している接結糸は、各接結セグメントの第１、第３、第５の基本組織糸上で結合されていて、その間に位置する第２及び第４の基本組織糸においては第２の織物層に面した内面で案内されている。従って、接結糸は、第１の織物層において接結セグメントを形成しているところで、第１の織物層の基本組織、この場合平織りを形成し、各接結糸対の両糸は、互いに接結糸方向で続いて第１の織物層の外見上の基本組織糸を成している。
【０００３】
この場合、第１の織物層のほぼ全体にわたって続いている平織りによって形成されている第１の織物層の極めて規則的な接結パターンに、第２の織物層の接結セグメントの比較的規則的ではないパターンが重ねられている。この場合、接結糸方向及び接結糸方向に対して横方向で広がる１つの接結糸リピート内で、各規則性を回避することにより、即ち、第２の織物層における接結セグメントの偶然的な分布を提供することにより、このような形式の接結セグメントがもたらすマーキング傾向を可能な限り減じる試みがなされている。
【０００４】
本発明の課題は、ウェブ材料、特に紙又は厚紙を製造する機械のための織物帯、即ち例えばフォーミングファブリックを、マーキング傾向をさらに減じることができるように形成することである。
【０００５】
この課題は、本発明によれば、ウェブ材料、特に紙又は厚紙を製造する機械のための織物帯であって、ウェブ材料側の第１の織物層と機械側の第２の織物層とを有し、第１の織物層と第２の織物層とはそれぞれ、接結糸方向で延びる接結糸によって互いに結合される基本組織を有しており、該基本組織はそれぞれ接結糸方向及び、接結糸方向に対して横方向に延びる基本組織糸を有しており、接結糸は第２の織物層において接結糸方向で互いに続いて位置する複数の接結セグメントを形成しており、該接結セグメントでは、接結糸が、接結糸方向に対して横方向に延びる、第２の織物層の少なくとも１つの基本組織糸に結合されている形式のものにおいて、接結糸方向及び接結糸方向に対して横方向に延びる１つの接結糸リピートにおいて、第２の織物層に形成される接結セグメントが、接結糸方向に対して、及び接結糸方向の横方向に対して傾斜して延びる接結セグメント対角線に沿って配置されていることにより解決される。
【０００６】
ＷＯ２００８／０６８３１７Ａ１号特許明細書により公知のこのような形式の織物帯によれば、第２の、即ち走行側若しくは機械側に配置された織物層の配置において設けられた接結セグメントでは、極めてランダムにクラスタ形成が生じる、即ち、接結セグメントの局所的な集中が生じることが知られており、このような個所では別の領域よりも接結セグメント密度が著しく高くなる。このような制御不能なクラスタ形成は、不都合な強いマーキング傾向となり、このことは、接結セグメントのランダムな分布に基づき、極めて好ましくないものであった。
【０００７】
この課題を解決するために本発明の構成では、各接結糸リピート内におけるほぼ全ての接結セグメントを、接結糸方向に対して、若しくは接結糸方向の横方向に対して傾斜して位置する、即ち対角線上に延びる接結セグメント対角線に沿って配置することにより、第２の織物層に配置された接結セグメントを、完全にランダムな分布とは異なり比較的大きな規則性を持つようにさせている。従って各接結糸リピート内では、接結セグメントがこれに沿って集中して配置される一般的に複数の仮想線が生じるので、確かに依然としてある程度局所的な集中が存在するが、これには各対角線に沿った方向付けにより、所定の配列が、従って規則性が与えられている。これによりマーキング傾向が著しく減じられていることが示されている。
【０００８】
本発明により構成された織物帯では、互いに隣接して位置する接結糸が接結糸対を形成しており、有利には１つの接結糸対の接結糸が互いに直接隣接している。
【０００９】
選択的な構成では、１つの接結糸対の接結糸の間に、第２の織物層の、接結糸方向で延びる少なくとも１つの基本組織糸及び／又は第１の織物層の、接結糸方向で延びる少なくとも１つの基本組織が配置されていて良い。
【００１０】
特に、織物帯が２つの織物層によって形成されている場合と、これらの織物層は接結糸によって安定的に結合され、この場合、接結糸は第１の織物層では接結糸方向で互いに連続する複数の接結セグメントを形成し、この接結セグメントにおいて、接結糸は、接結糸方向に対して横方向で延びる第１の織物層の少なくとも１つの基本組織糸に結合されている。
【００１１】
第１の織物層における基本組織糸により形成される組織パターンを延長することができつつ、接結糸によって織物層間を安定的に結合し、かつ同時に第１の織物層のために所定の規則性を与えるために、転換点で、各接結糸対の接結糸を互いに交差させ、接結糸の一方を、第１の織物層で１つの接結セグメントを形成するために、第１の織物層へと転換させ、１つの接結糸リピート内において複数の転換点を、複数の転換点対角線のうちの１つに沿って配置することが提案されている。
【００１２】
この場合、転換点対角線は、接結セグメント対角線に対して平行に延びることができ、第２の織物層に接結セグメントが形成されているところでは転換点が存在し得ないという事実に基づき、互いに重なり合う対角線は生じ得ない。
【００１３】
選択的な構成では、転換点対角線は、接結セグメント対角線に対して角度を成して延びていて良い。
【００１４】
転換点対角線に沿った転換点の配置により得られる規則的なパターンを所定の領域で中断し、僅かな不規則性により改善されたマーキング特性を得るために、転換点対角線が、転換点の中断されない配列を有する第１の形式の転換点対角線と、転換点オフセット個所により転換点が中断される配列を有する第２の形式の転換点対角線とを含んでいることが提案される。
【００１５】
種々異なる形式の複数の転換点対角線によっても、第１の形式の転換点対角線と第２の形式の転換点対角線とが規則的なパターンで互いに交互に生じることにより、規則的なパターンに重ねられた不規則性が得られる。
【００１６】
さらに、転換点オフセット個所は規則的なパターンで配置されている。
【００１７】
さらに、第１の織物層において、１つの接結糸対の一方の接結糸の接結セグメントと、同じ接結糸対の他方の接結糸の接結セグメントとが接結糸方向で互いに交互に続いていても良い。
【００１８】
第１の織物層における接結セグメントの数の、第２の織物層における接結セグメントの数に対する比が１よりも大きいことにより、マーキング傾向をさらに減じることができる。第２の織物層において、より少ない数の接結セグメントを形成することにより、各接結セグメント対角線の間に比較的大きな中間スペースが残される。
【００１９】
さらに、接結糸方向に対して横方向に延びる第１の織物層の基本組織糸の数の、第２の織物層の基本組織糸の数に対する比が１よりも大きいことが提案されている。このような比とすることにより、第１の織物層における比較的高い規則性に、第２の織物層における不規則性という側面を重畳させることができ、相応に減じられたマーキング傾向が得られる。
【００２０】
第２の織物層への接結糸の組み込みパターンは例えば、少なくとも１つの接結セグメント対角線において互いに連続して位置するほぼ全ての接結セグメントが同じ形式の接結セグメントであるか、及び／又は同じ形式の接結糸によって形成されているようになっていて良い。同じ形式の接結セグメントは基本的に、各接結糸が第２の織物層の基本組織糸にどのように結合されているか、という形式が同じであることを特徴としており、このことは、各接結糸の延在にも、第２の織物層の関与する基本組織糸の数にも言えることである。同じ形式の接結糸は、この接結糸が共に接結セグメントを形成する異なる織物層の基本組織に関して同じ延在、即ち、結合個所の同じシーケンスを有しているが、接結糸長手方向に関しては互いにずらされて位置していて良いことを特徴とする。異なる形式の接結糸は、織物層への組み込みの各パターンが接結糸長手方向でずらされて位置することができることとは別に、互いに異なる結合のパターンを有していることを特徴とする。
【００２１】
さらに、少なくとも１つの接結セグメント対角線に、異なる形式の接結セグメント、及び／又は異なる形式の接結糸によって形成された接結セグメントが互いに連続して続いており、有利には、少なくとも１つの接結セグメント対角線に含まれる異なる形式の接結セグメント及び／又は異なる形式の接結糸によって形成された接結セグメントが規則的なパターンで交互に現れる。このような形式では、接結セグメント対角線により形成された規則性において、異なる形式の接結セグメント若しくは異なる接結糸が互いに連続して続いていることにより一方では不規則性の側面が設けられているが、これは相互の交換の規則的なパターンにより再び所定の均一性を成すように寄与する。
【００２２】
接結セグメント対角線により形成される規則性の側面において、規則的なパターンの所定の中断により得るために、さらに、１つの接結糸リピート内に、接結セグメントの互いに異なる分布及び／又は形式を有した複数の接結セグメント対角線が、及び／又は異なる形式の接結糸により形成された接結セグメントを有した複数の接結セグメント対角線が存在することが提案されている。
【００２３】
組織パターンのできるだけ簡単な構成に基づき有利な構成では、１つの接結糸リピート内において、接結糸対を形成する接結糸の、互いに異なる延在を有した接結糸対の数が、１つの接結糸リピート内において存在する接結糸対の数よりも小さいことが提案される。この場合も、異なる延在を有する接結糸は、この接結糸が共に接結セグメントを形成する基本組織若しくは織物層に関して、結合個所の異なるシーケンスを有していて、接結糸長手方向で互いにずらされて位置しているだけではなく、基本的に、結合個所の同じシーケンス若しくは基本組織への組み込みの同じパターンを有することを特徴とする。
【００２４】
特に第１の織物層に、組織構造の極めて高い均一性を提供するために、第１の織物層における接結糸対の接結糸が、第１の織物層の組織を延長する第１の織物層の外見上の基本組織糸を成していることが提案される。
【００２５】
さらに、接結糸方向での接結糸の周期的に繰り返されるリピート長さが、接結糸方向における第１の織物層及び／又は第２の織物層の基本組織のリピート長さより大きいことが提案されている。
【００２６】
本発明はさらに、ウェブ材料、特に紙、厚紙を製造する機械であって、本発明により形成された少なくとも１つの織物帯を有している形式のものに関する。
【００２７】
以下に本発明を添付の図面につき詳しく説明する。
【図面の簡単な説明】
【００２８】
【図１ａ】１つの接結糸リピートに関して、種々異なる関与する接結糸の延在を示した図である。
【図１ｂ】走行側の織物層において図１ａの接結糸リピート内に形成される接結セグメントの分布を示した図である。
【図１ｃ】紙側の織物層における接結セグメントの配置と、このような形式の接結セグメントの間に形成された転換点を、図１ａ及び図１ｂに示した組織パターンに対応して示した図である。
【図２ａ】図１ａに相応する選択的な実施形態を示した図である。
【図２ｂ】図１ｂに相応する選択的な実施形態を示した図である。
【図３ａ】図１ａに相応する選択的な実施形態を示した図である。
【図３ｂ】図１ｂに相応する選択的な実施形態を示した図である。
【図４ａ】図１ａに相応する選択的な実施形態を示した図である。
【図４ｂ】図１ｂに相応する選択的な実施形態を示した図である。
【図５ａ】図１ａに相応する選択的な実施形態を示した図である。
【図５ｂ】図１ｂに相応する選択的な実施形態を示した図である。
【図５ｃ】紙側の織物層における接結セグメントの配置と、このような形式の接結セグメントの間に形成された転換点を、図５ａ及び図５ｂに示した組織パターンに対応して示した図である。
【図６ａ】図１ａに相応する選択的な実施形態を示した図である。
【図６ｂ】図１ｂに相応する選択的な実施形態を示した図である。
【図６ｃ】紙側の織物層における接結セグメントの配置と、このような形式の接結セグメントの間に形成された転換点を、図６ａ及び図６ｂに示した組織パターンに対応して示した図である。
【図７ａ】図１ａに相応する選択的な実施形態を示した図である。
【図７ｂ】図１ｂに相応する選択的な実施形態を示した図である。
【図８ａ】図１ａに相応する選択的な実施形態を示した図である。
【図８ｂ】図１ｂに相応する選択的な実施形態を示した図である。
【図９ａ】図１ａに相応する選択的な実施形態を示した図である。
【図９ｂ】図１ｂに相応する選択的な実施形態を示した図である。
【図１０ａ】図１ａに相応する選択的な実施形態を示した図である。
【図１０ｂ】図１ｂに相応する選択的な実施形態を示した図である。
【図１０ｃ】紙側の織物層における接結セグメントの配置と、このような形式の接結セグメントの間に形成された転換点を、図１０ａ及び図１０ｂに示した組織パターンに対応して示した図である。
【図１１】選択的な基本組織パターンについての接結糸対と対応する基本組織糸の対を示した図である。
【図１２】選択的な基本組織パターンについての接結糸対と対応する基本組織糸の対を示した図である。
【図１３】選択的な基本組織パターンについての接結糸対と対応する基本組織糸の対を示した図である。
【図１４】選択的な基本組織パターンについての接結糸対と対応する基本組織糸の対を示した図である。
【００２９】
次に図１ａ、図１ｂ、図１ｃにつき、例えば紙又は厚紙のようなウェブ材料を製造する機械のための織物帯の織り構造の第一実施例を説明する。例えばフォーミングファブリックとして使用されるこのような形式の織物帯は、図１ａ及び図１ｂに示した例では、２つの織物層１１４，１１６によって形成されている。この場合、織物層１１４は、ウェブ材料側に配置され、製造すべきウェブ材料を支持する第１の織物層である。織物層１１６は、機械側又は走行側の第２の織物層であって、織物帯を案内する若しくは駆動する種々のローラと接触させられる。
【００３０】
図１ａには、このような１つの織物帯の緯糸方向で延びる一部分が示されていて、図平面で位置する糸は緯糸であり、図平面に対して垂直に延びる番号で示された糸は織物帯の経糸である。上方から下方に向かう順序で、１つの接結糸リピート内に含まれる全ての緯糸と、１つの接結糸リピート内に含まれる全ての経糸とが図示されている。緯糸は、第１の織物層１１４の基本組織のために使用される緯糸１１８と、第２の織物層１１６の基本組織のために使用される緯糸１２０とを含む。これらの緯糸１１８，１２０はそれぞれ第１の織物層１１４若しくは第２の織物層１１６に留まり、ここに存在している経糸と共にそれぞれ基本組織を形成する。第１の織物層１１４の基本組織は平織りであって、第２の織物層１１６の基本組織は５単位朱子織であることがわかる。即ち、第２の織物層１１６の基本組織の緯糸１２０は、第２の織物層１１６のそれぞれ４つの経糸の上に浮いていて、従って、摩耗に対して極めて良好に保護された、織物帯の走行側の表面を形成している。
【００３１】
両織物層１１４，１１６間を結合させるために、各１つの接結糸リピートには全部で１０対の接結糸が存在している。互いにそれぞれ対になって対応させられているこれらの接結糸ｉ１−ｉ２，ｉ３−ｉ４，ｉ５−ｉ６，ｉ７−ｉ８，ｉ９−ｉ１０，ｉ１１−ｉ１２，ｉ１３−ｉ１４，ｉ１５−ｉ１６，ｉ１７−ｉ１８，ｉ１９−ｉ２０はそれぞれ経糸方向で直接的に隣接して位置している。各接結糸対の両接結糸は両織物層１１４，１１６の間で交互に存在しているので、例えば接結糸対ｉ１−ｉ２では、経糸１１，１８，２５，３５，４５の下方に接結糸ｉ１−ｉ２の転換点が生じている。
【００３２】
各接結糸対の接結糸は第１の織物層１１４に組み込まれ、ここで基本組織、即ち平織りに続くようになっている。特に、１つの接結糸リピートにおいて個々の織物層１１４，１１６間で複数回の接結糸の転換が生じることによって、各接結糸対の両接結糸は、第１の、即ち紙側の織物層１１４では、第１の織物層１１４内に組み込まれ、外見上は連続した仮想の基本組織糸を成す。
【００３３】
１つの接結糸リピートの各接結糸ｉ１〜ｉ２０は、第１の織物層１１４及び第２の織物層１１６においてそれぞれ複数の接結セグメントＳ１，Ｓ２を形成する。１つの接結セグメントはこの場合、それぞれ、当該接結糸の一区分によって形成されていて、この接結セグメントにおいて接結糸は、その都度の織物層１１４又は１１６において少なくとも１つの経糸を介して、場合によっては、必ずしも直接隣接しているわけではない複数の経糸を介して結合されている。従って、例えば図１ａで最も上方の接結糸対ｉ１−ｉ２の接結糸ｉ１は、第１の織物層１１４において、経糸３から経糸１０まで延びる接結セグメントＳ１を形成している。この場合、経糸３，６，１０を介して接結糸ｉ１は第１の織物層１１４の外面に、即ち、第２の織物層１１６とは反対の面に結合されている。接結糸ｉ１は経糸５，８の下方には通されているので、既に上述した平織りが形成される。第１の織物層１１４における別の接結セグメントＳ１は、接結糸ｉ１が経糸２０，２１，２３若しくはさらに別の経糸３６，３８，４０，４１，４３と共に形成している。第１の織物層１１４に存在している接結セグメントＳ１はそれぞれ、経糸１，１１，１８，２５，３５若しくは４５によって互いに分離されており、このことは同様に平織りを形成するために寄与している。
【００３４】
第２の織物層１１６にも同様に接結セグメントＳ２が形成されており、例えば第１の接結糸ｉ１は、接結セグメントＳ２を経糸１４，１７と共に形成している。別の接結セグメントＳ２では、この接結糸ｉ１は経糸２７，２９に結合されている。即ちこの場合、これらの接結セグメントも複数の経糸、特にそれぞれ、互いに隣接して位置する２つの経糸を有しているので、各接結セグメントＳ２において、接結糸ｉ１と、同様に接結糸ｉ２も、走行面に沿って２つの経糸の上方で浮いている。
【００３５】
図１ａに示した接結糸リピート内、即ちこの場合、緯糸方向と経糸方向で互いに連続的に繰り返すように位置する全織り構造における最小の繰り返し単位の中には、全体で１０の接結糸対があって、基本的には２種類の異なるように結合される接結糸しか存在しない。即ち、全ての奇数符号を有する接結糸ｉ１，ｉ３…ｉ１９は、経糸に関しては基本的に同じ経過を有しているが、緯糸方向では互いにずらされている。同じことは、偶数の符号を有する接結糸ｉ２，ｉ４，…ｉ２０にも言える。さらに、接結セグメントＳ１若しくはＳ２の分布については、第１の織物層１１４においては、第２の織物層１１６におけるより多くの、即ち６つの接結セグメントＳ１が存在していて、第２の織物層１１６には、１つの接結糸リピート内に、互いにそれぞれ３つの経糸によって分離されている４つの接結セグメントＳ２しか存在していないことがわかる。これは、各接結糸対の両接結糸のそれぞれが、第１の織物層１１４において、それぞれ別の接結糸の１つの接結セグメントによって分離された２つの接結セグメントを形成し、その間に第２の織物層１１６内へと転換することがないためである。
【００３６】
図１ｂには、走行面から見た、第２の織物層１１６における接結セグメントＳ２の位置が示されている。この場合、２〜４９の番号が付けられている図１ｂの桁はそれぞれ第２の織物層１１６の接結糸リピートの経糸を表しており、これに対し、行は緯糸、若しくはこの場合特に、緯糸によって形成された接結糸１〜２０を表している。例えば第１の接結糸対ｉ１−ｉ２の、緯糸方向に続いている接結セグメントＳ２が明確に示されており、このシーケンス（順序）は常に、一方の種類の接結糸の２つの接結セグメントＳ２が、他方の種類の他方の接結糸の２つの接結セグメントＳ２に続くようになっている。
【００３７】
第２の織物層１１６における接結セグメントＳ２の配置は、これらの接結セグメントＳ２が接結セグメント対角線Ｄに沿って配置されているように選択されている。この接結セグメント対角線Ｄは、経糸に対しても緯糸に対しても傾斜して延在している。１つの接結糸リピート内には、互いにほぼ平行に延びる複数の接結セグメント対角線Ｄが存在していることがわかる。この接結セグメント対角線Ｄに沿って第２の織物層１１６の接結セグメントＳ２が互いに連続して配置されている。
【００３８】
有利には第２の織物層１１６の接結セグメントＳ２が配置されているこのような形式の接結セグメント対角線Ｄを形成することにより、第２の織物層１１６には、結果として、マーキング傾向となる、接結セグメントＳ２の完全にランダムな分布とは異なる規則性が得られる。特にこれにより、ランダムな配置の場合に生じるクラスタの形成を回避することができる。
【００３９】
図１ｂによれば、接結セグメント対角線においても、比較的高い規則性が存在していることがわかる。特に、１つの対角線の接結セグメントＳ２はそれぞれ、経糸１つ分だけ緯糸方向に互いにずらされていて、１つの経糸では重なっている。両織物層１１４，１１６上の経糸の分布が、織物層１１４において、織物層１１６よりも多数の経糸が存在していて、即ち、経糸自体の重なりにおいても所定の非規則性が生じていることと共に、接結セグメント対角線Ｄに沿った接結セグメントＳ２の配置により、マーキング傾向が少ない織物帯が得られる。
【００４０】
図１ｂから判るように、個々の接結セグメント対角線Ｄにおいて、ここに存在する各接結セグメントＳ２に関しても規則性が存在している。一方の種類の複数の接結糸、即ち、両織物層１１４，１１６に関して基本的に互いに同様に組み込まれているが緯糸方向で互いにずらされて位置する複数の接結糸を有したそれぞれ２つの接結セグメントＳ２が、他方の種類の１つの接結糸によって形成された２つの接結セグメントＳ２に続いている。
【００４１】
図１ｃには、第１の織物層１１４においてそれぞれ接結糸対ｉ１，ｉ２，…ｉ１９，ｉ２０が形成する接結セグメントＳ１の位置が示されている。この図１ｃを例えば図１ａと併せて見ることにより、接結セグメントＳ１は、図１ｃにおいて黒色で示された接結糸ｉ１によって、第１の織物層１１４に存在する経糸３，５，６，８，１０のところで形成されていることがわかる。これに続いて接結糸ｉ１，ｉ２の両接結糸が、第１の織物層１１４の経糸１１の下側で互いに交差する転換点Ｗがあって、この場合、まず両織物層１１４，１１６の間で延びる接結糸ｉ２が、第１の織物層１１４の経糸１３，１５，１６を含む別の接結セグメントＳ１を形成するために、第１の織物層１１４へと転換する。このような場合に、第１の織物層１１４に組み込まれた経糸の下方に位置するこのような転換点Ｗでは、１つの接結糸対の両接結糸が、第１の織物層における組織パターンを形成若しくは延長するために互いに交換されて、この場合、まず、第１の織物層１１４で接結セグメントＳ１を形成する接結糸が、接結セグメントＳ１の形成を終了し、若しくは第１の織物層１１４から引き出され、同じ接結糸対のこれに交差する別の接結糸と交換され、この別の接結糸は次いで、接結セグメントＳ１を形成する。
【００４２】
図１ｃにより、転換点Ｗは、転換点対角線Ｄｗ若しくはＤｗ´に沿って配置されていることが判る。この場合、異なる２つの形式の転換点対角線が存在している。第１の形式の転換点対角線Ｄｗは、規則性が中断されない転換点Ｗの連続により形成され、このような高い規則性をなして、図１ｃに示した接結糸リピートにわたって延在している、若しくは、互いに隣接する複数の接結糸リピートにわたって続いている。第２の形式の転換点対角線Ｄｗ´では、中断されることを特徴とする転換点Ｗの連続を有している。第２の形式の対角線Ｄｗ´において転換点オフセット個所Ｖでは転換点が欠如している。これらの欠如した転換点は、接結糸長手方向で、ずらされた転換点Ｗｖへとシフトされている。転換点Ｗの中断されないシーケンスにより形成される第１の形式の転換点対角線Ｄｗと比較すると、この場合、即ち、第２の形式の転換点対角線Ｄｗ´は、転換点Ｗの連続した列において転換点オフセット個所Ｖにより中断される規則性を有している。この場合、第２の形式のこのような転換点対角線Ｄｗ´では、転換点オフセット個所Ｖが規則的なシーケンスで配置されている。オフセットされた転換点Ｗｖも、各接結糸リピートにおいて規則的なパターンで、図示の実施例では、１つの対角線に沿って連続的に位置している。
【００４３】
図１ｃではさらに、１つの接結糸リピートにおいて複数の第１の形式の転換点対角線Ｄｗと第２の形式の転換点対角線Ｄｗ´とが存在していて、これら異なる形式の転換点対角線Ｄｗ，Ｄｗ´は互いに交互に、即ち、規則的なパターンで現れることが判る。
【００４４】
基本的には、図１ｃに示された転換点対角線Ｄｗ，Ｄｗ´のシーケンスにより、所定の範囲における極めて規則的なパターンに不規則性が重畳され、この不規則性は、このように製造された織物帯のマーキング傾向に関して有利な効果を有する。転換点対角線ＤｗとＤｗ´は、図１ｂとの比較により明らかであるが、各接結糸リピートにおいて、接結セグメント対角線Ｄに関して角度を成して延びていると有利に作用する。
【００４５】
各接結糸リピート内での織物帯若しくは織り構造の異なる構成が図２ａ及び図２ｂに示されている。基本的な構成に関しては上記の説明を参照することができる。この場合も、各接結糸対の互いに対になって対応する互いに隣接して位置する接結糸が、例えば接結糸ｉ１，ｉ２が第１の織物層１１４若しくは第２の織物層１１６において接結セグメントＳ１，Ｓ２を形成する。上記構成とは異なり、例えば、経糸４における接結糸ｉ２によって接結セグメントＳ２が形成されていて、この接結セグメントＳ２は、単に１つの経糸にわたってのみ延びている。このことは図２ｂにも示されており、図２によれば、１つの接結糸リピートにおける各接結糸対では、１つの経糸のみを含む１つの接結セグメントＳ２がそれぞれ存在している。この場合も、接結セグメントＳ２は、接結セグメント対角線に沿って配置されている。この対角線Ｄには、１つの経糸しか含まない接結セグメントも存在しているので、対角線Ｄにおいて互いに連続している接結セグメントＳ２は全てが１つの経糸分だけ重なっているわけではない。同様に、個々の接結セグメント対角線Ｄ内ではやはり比較的高い規則性が生じていて、この場合、個々の接結セグメント対角線Ｄでは、異なる形式の接結セグメントＳ２が均一なシーケンスで交互に現れる。異なる形式の接結セグメントはこの場合、異なる数の経糸を含んでいる接結セグメントによって生じる。異なる形式の接結セグメントは基本的に、経糸における結合の形式でも異なっている。従って例えば、３つの経糸を含む接結セグメントは、これら３つの経糸の上を浮くことができるが、平織りの形式でも、経糸の１つによって分離された２つの経糸を介して結合されている。
【００４６】
図３ａ及び図３ｂに示された変化実施例では、各接結糸対において、両接結糸が、即ち例えばｉ１，ｉ２が、第２の織物層１１６の基本組織の緯糸１２０によって分離されている。このような実施例でも、図示の接結糸リピートでは、各接結糸対において、１つの経糸しか含まない接結セグメントＳ２が第２の織物層１１６に存在している。各接結糸対において全部で、１つの経糸を有する２つの接結セグメントＳ２と２つの経糸を有する２つの接結セグメントＳ２とが存在する。この場合、各対では常に、一方の形式の接結糸が２つの経糸を有する接結セグメントＳ２を形成し、他方の形式の接結糸が１つの経糸を有する接結セグメントＳ２を形成する。
【００４７】
図３ｂにより明らかであるように、個々の接結セグメント対角線Ｄではやはり、異なる形式の接結セグメントの一定のシーケンスが存在しており、一方の形式のそれぞれ２つの接結セグメント、即ち２つの経糸を有する２つの接結セグメントが、他方の形式の２つの接結セグメント、即ち１つの経糸を有する２つの接結セグメントに続いている。
【００４８】
図４ａ及び図４ｂに示された変化実施例では、各接結糸対の両接結糸はやはり、第２の織物層の基本組織の緯糸１２０によって分離されている。第２の織物層１１６に形成された接結セグメントＳ２はこの場合、それぞれ１つだけの経糸を有しており、これは図４ｂにも明確に示されている。接結セグメントＳ２は接結セグメント対角線Ｄに沿って配置されており、この場合、対角線Ｄにはそれぞれ４つの接結セグメントＳ２から成る複数のグループが存在していて、これらのグループは、各対角線において接結セグメントが形成されていないそれぞれ１つの経糸によって互いに分離されている。４グループのそれぞれは３つの経糸にわたって延在しており、各４グループの真ん中の２つの接結セグメントは同じ経糸に形成されている。この場合も、即ち、接結セグメント対角線の内側では、対角線Ｄに沿って続く分布パターンにより、比較的高い規則性が生じる。しかしながら上述した変化実施例と同様に、個々の対角線における接結セグメントＳ２の経過はそれぞれ同じであるので、個々の対角線Ｄも、接結セグメントＳ２の配置若しくは分布に関して同じである。
【００４９】
図２ａ、図２ｂ〜図４ａ、図４ｂに示された変化実施例では、紙側の第１の織物層１１４における接結セグメントＳ１の分布若しくは配置は、図１ｃに示した上記配置に相当する。即ちこの場合も、互いに対になって対応する接結糸の転換点は、図１ｃに示されているような種々の形式の転換点対角線に沿って配置されている。
【００５０】
図５ａ及び図５ｂに示した変化実施例では、各接結糸対の互いに直接的に隣接して位置する接結糸が、それぞれ１つの経糸と共にセグメントＳ２を第２の織物層１１６に形成している。接結セグメントＳ２は接結セグメント対角線Ｄに沿って配置されており、この場合、異なる形式の３つの対角線Ｄ，Ｄ´，Ｄ´´が存在している。各対角線Ｄ，Ｄ´，Ｄ´´では、接結セグメントＳ２の均一な分布が存在している。例えば、対角線Ｄには、それぞれ１つずつ配置された接結セグメントと、経糸方向で直接隣接して配置された２つの接結セグメントのシーケンスが存在している。対角線Ｄ´にはそれぞれ２グループの接結セグメントＳ２が存在しており、これらのグループは、経糸方向でそれぞれ別の１つの接結糸対によって分離されている。対角線Ｄ´´には、個々に配置され、それぞれ１つの経糸と２つの接結糸対によって分離された接結セグメントＳ２が存在している。
【００５１】
この場合、複数の異なる形式の対角線が１つの接結糸リピートに存在しているので、不規則性が大きくなるが、個々の対角線Ｄ，Ｄ´，Ｄ´´内ではやはり、比較的高い規則性が生じている。
【００５２】
図５ｃには、図５ａ及び図５ｂに示した織物帯の構成に対応して、互いに対を成して配置されている接結糸ｉ１，ｉ２，…ｉ１９，ｉ２０の転換点の位置と、第１の織物層１１４にそれぞれ形成される接結セグメントＳ１とが示されている。図１ｃに示したのと同様に、各接結糸対から成る、接結セグメントＳ１のシーケンスはそれぞれ交互に、１つの接結糸対の一方の接結糸の接結セグメントＳ１と、この接結糸対の他方の接結糸の接結セグメントＳ１とを有している。
【００５３】
転換点Ｗはやはり、転換点対角線Ｄｗ若しくはＤｗ´に沿って配置されている。第１の形式の転換点対角線Ｄｗにはやはり、転換点Ｗの規則的な中断されないシーケンスが存在している。第２の形式の転換点対角線Ｄｗ´には、やはり、対角線Ｄｗ´において転換点のシーケンスを中断するオフセット個所Ｖ若しくはオフセットされた転換点Ｗｖが存在している。特に図５ｃにより明らかであるように、１対の同じ接結糸対、例えば接結糸ｉ３とｉ４とでは、第１の形式の２つの転換点対角線Ｄｗの間に２つの転換点Ｗ，Ｗｖが位置することができ、これらの転換点Ｗ，Ｗｖのうちの一方は、例えば経糸１０に形成される転換点Ｗは、例えば第２の形式の転換点対角線Ｄｗ´に沿って位置し、他方のオフセットされた転換点Ｗｖとして、例えば経糸１６に形成される転換点Ｗｖは、オフセットされて位置している。このような付加的な転換点若しくはオフセットされた転換点Ｗｖは、最終的に、第２の形式の別の対角線を規定する転換点とみなすことができる。実際に図５ｃの構成では、２つの第１の形式の転換点対角線Ｄｗの間に、複数の第２の形式の転換点対角線Ｄｗ´が記載されていて、これらは全て、第１の形式の転換点対角線Ｄｗと比較すると、転換点の中断されないシーケンスを相殺するそれぞれ１つ若しくは複数の中断部を有している。
【００５４】
図１ａ、図１ｂ〜図５ａ、図５ｂにつき前述した織り構造では、１つの接結糸リピートにおいて、ここにそれぞれ存在する接結糸対、この場合１０の接結糸対の他に、２倍の数の結合されていない緯糸、即ち個々の織物層の基本組織を形成するためにだけに機能している緯糸が存在している。接結糸を成す２０の緯糸の他に、この場合、即ち全部で４０の基本組織緯糸が存在しており、これらの緯糸は織物層を転換せず、専ら第１の織物層１１４又は第２の織物層１１６に組み込まれている。即ちこの場合、結合される緯糸と結合されない緯糸との比は１：２である。以下では、図６ａ、図６ｂ〜図１０ａ、図１０ｂにつき、この比が１：１である変化実施例を説明する。即ちこの場合、各接結糸に結合された緯糸は、結合されていない緯糸と同数存在する。
【００５５】
図６ａに示した構成では、全部で１０対の互いに対応する接結糸が存在しており、基本的には、糸の延在に関して異なる２つの接結糸対が存在している。例えば、接結糸ｉ５は、共に接結セグメントＳ１若しくはＳ２を形成する異なる経糸に関して、接結糸ｉ１と同じ経過を有しているが、これに対して緯糸方向にシフトされている。同じことは接結糸ｉ２とｉ６についても言える。しかしながら、接結糸ｉ１とｉ３若しくは接結糸ｉ２とｉ４は、経糸との交絡に関して異なっている。これにより、例えば接結糸ｉ１，ｉ２を有する接結糸対では、第１の織物層１１４において、２−３−３−２−３−２の接結セグメントＳ１のシーケンスが存在している。この場合、記載した数字は、各接結セグメントＳ１内で、外側から接結糸ｉ１又はｉ２によって取り囲まれる第１の織物層１１４の経糸の数を表している。接結糸対ｉ３−ｉ４では、シーケンスは３−２−３−２−３−２となっている。このような異なる形式の接結セグメントＳ１のシーケンス、即ち、取り囲まれる経糸の異なる数は、各接結糸リピート内で交互に変化する。
【００５６】
図６ａ及び図６ｂに示した変化実施例では、第２の織物層１１６の接結セグメントＳ２は接結セグメント対角線Ｄに沿って方向付けられている。各接結糸が異なる形式の接結セグメントを形成しているので、即ち、一方では１つの経糸を含む接結セグメントを、他方では２つの経糸を有する接結セグメントを形成しているので、各接結糸対において、異なる形式の接結セグメントのシーケンスが存在する。これにより異なる２つの対角線Ｄ，Ｄ´が生じる。各対角線Ｄ若しくはＤ´には、異なる形式の接結セグメントＳ２が含まれるが、これらの接結セグメントのシーケンスは対角線Ｄ若しくはＤ´に沿ってやはり均一に分布される。
【００５７】
図６ｃには再び、第１の織物層１１４における転換点Ｗの位置若しくは接結セグメントＳ１の位置が示されている。この図には、転換点Ｗの中断されない規則的な連なりが存在している転換点対角線Ｄが示されている。ここで、接結糸の長手方向で見て、第１の形式の転換点対角線Ｄｗの２つの転換点Ｗの間に、接結糸長手方向に対して横方向、この場合即ち経糸方向で延びる第１の織物層の１つの糸が存在していて、この糸には少なくともこの転換点対角線においては転換点が形成されていないことは、矛盾することではない。転換点のこのような中断されないシーケンスは、第２の形式の転換点対角線Ｄｗ´においては相殺されており、第２の形式の転換点対角線Ｄｗ´では、接結糸リピートにおいて、それぞれ１つの転換点オフセット個所Ｖが存在し、このオフセット個所Ｖで規則的なシーケンスが中断されている。各転換点オフセット個所Ｖと対応して、接結糸長手方向で２つの経糸分だけシフトされて位置するオフセットされた転換点Ｗｖが存在している。
【００５８】
図６ｂとの比較で、このような実施例では、転換点対角線Ｄｗ若しくはＤｗ´と接結セグメント対角線Ｄ若しくはＤ´は互いに角度を成すのではなく、互いに平行に延びていることが判る。しかしながら、第２の織物層１１６に接結セグメント、ひいては接結セグメント対角線が形成されているところでは、転換点が位置することができないので、ここで互いに平行に延びる対角線は、互いに重なっているのではなく、対角線長手方向に対して横方向に互いにずらされて位置している。
【００５９】
図６ａによれば、この実施例では、例えば、接結糸ｉ１，ｉ２に関して、転換点Ｗの別の例が示されている。従って、接結糸ｉ１は、接結糸長手方向に対して横方向に延びる糸２８，３０，３１において接結セグメントＳ１を形成した後で、糸３３の手前で直接、第２の織物層１１６内へと、ここに存在している糸３４の下方に転換し、即ち、両織物層１１４，１１６の間、若しくはここにその都度配置されている横方向糸の間を連続的に延びている延在区分を有しておらず、これは例えば、横方向糸３２の手前で両織物層１１４，１１６の間の位置に転換する接結糸ｉ２の転換点Ｗの場合と同じである。そして、横方向糸３１，３２と横方向糸３３，３４との間で連続して延び、この場合、第１の織物層１１４から第２の織物層１１６へと直接転換する接結糸ｉ１と交差する。
【００６０】
図７ａ及び図７ｂには、上記実施例の変化実施例が示されており、一方の形式の接結糸対の第１の織物層１１４に形成された接結セグメントＳ１が、結合している経糸に関して、２−３−３−２−３−２のように続いており、他方の形式の接結糸対では３−２−３−２−３−２のシーケンスで続いている。即ちこの場合も、基本的には、２つの異なる接結糸対形式しか有さない４つの異なる接結糸の経過のみが図示の接結糸リピート内に示されている。
【００６１】
第２の織物層１１６に形成される接結セグメントＳ２は対角線Ｄ若しくはＤ´に沿って配置されており、接結セグメント対角線Ｄ内で、特に、対角線Ｄに関して判るように、接結セグメントの形式若しくは接結セグメントを形成するために使用される接結糸の形式の接結セグメントの位置のパターンの同様の繰り返しにより比較的高い規則性が得られる。
【００６２】
図８ａ及び図８ｂに示された構成形式では、両接結糸対形式がそれぞれ形成されていて、第１の織物層において２−３−３−２−３−２若しくは３−２−３−２−３−２の接結セグメントＳ１のシーケンスを有している。即ちこの場合も、１つの接結糸リピート内で経糸方向に交互に変化する２つの異なる接結糸対形式を形成するために、４つの異なる接結糸対経過が採用される。第２の織物層の接結セグメントＳ２は、接結セグメント対角線Ｄ，Ｄ´に沿って位置するように配置されている。
【００６３】
上述した図７ａ、図７ｂ、図８ａ、図８ｂにおいて、ここに図示した組織パターンは、第１の織物層１１４における転換点若しくは接結セグメントの位置に関しては、図６ｃにつき説明した構成に相当する。
【００６４】
上述した実施例では、第１の織物層には６つの接結セグメントＳ１が存在しているのに対し、図９に示した構成では第１の織物層１１４に、８つの接結セグメントＳ１を有した１つの接結糸対が付加的に交互に存在している。第２の織物層１１６において各接結糸対に存在する接結セグメントＳ２の数は、この場合６である。このことは、各接結糸対との対応関係でこのような形式の６つの接結セグメントＳ２が示されている図９ｂからも判る。この場合、異なる形式の接結糸対は、一方の形式では、例えば接結糸対ｉ１，ｉ２において、１つの経糸しか有していない接結セグメントＳ２しか形成されておらず、他方の形式の接結糸対では、即ち接結糸対ｉ３，ｉ４では、所属の接結糸が２つの経糸の上で浮いているそれぞれ１つの接結セグメントＳ２が形成されている点で異なっている。
【００６５】
このように数が多数で形式が異なることにより、接結セグメント対角線に沿って接結セグメントの方向付けが再び行われ、この場合、１つの接結糸リピートにおいて比較的多数の対角線Ｄ，Ｄ´，Ｄ´´，Ｄ´´´が生じる。種々異なる対角線の接結セグメントが、例えば経糸方向で続いていて接触する、即ち経糸方向で互いに隣接して位置することがあることが判る。個々の対角線においては、ここに配置された接結セグメントのシーケンスに高い規則性が存在している。特に、異なる形式の接結セグメントを有する接結セグメント対角線Ｄ´´´では、１つの経糸しか有していない接結セグメントと、２つの経糸を有する接結セグメントの交互のシーケンスが、それに続く経糸による分離を伴って存在していることも判る。
【００６６】
図１０ａ及び図１０ｂに示された変化実施例でも、各第２の接結糸対において第１の織物層１１４に８つの接結セグメントＳ１が形成されている。この場合も、基本的には、２つの形式の接結糸対が存在しており、即ち全部で４つの異なる接結糸の経過が存在しており、各第２の接結糸対において、１つの接結糸が、この接結糸によって形成される２つの接結セグメントＳ１の間で、比較的長く、即ち、第１の織物層１１４に存在する５つの経糸にわたって、両織物層１１４，１１６の間で浮いている。このことは例えば、接結糸ｉ３が第１の織物層１１４の経糸２０，２１，２３，２５，２６の上で浮いている接結糸対ｉ３において明らかである。第２の織物層１１６では、各第２の接結糸対においてそれぞれ６つの接結セグメントＳ２が形成されており、これらの接結セグメントＳ２は１つの経糸又は２つの経糸を介して結合されている。
【００６７】
図１０ｂには、この場合も第２の織物層の接結セグメントＳ２が接結セグメント対角線Ｄ，Ｄ´に沿って配置されていることが示されている。
【００６８】
図１０ｃには、図１０ａ及び図１０ｂとの対応関係で、転換点Ｗの配置若しくは転換点対角線Ｄｗ，Ｄｗ´が示されている。このような構成でも、転換点対角線Ｄｗ，Ｄｗ´は接結セグメント対角線Ｄ，Ｄ´に平行に延びている。第１の形式の転換点対角線Ｄｗはやはりそれぞれ、規則性が中断されることのない転換点Ｗの配置を有しており、これらの転換点Ｗは接結糸長手方向でそれぞれ、接結糸長手方向に対して横方向で延びる糸、即ちこの場合、経糸によって分離されて位置している。第２の形式の転換点対角線Ｄｗ´には、各接結糸リピートにおいて、このような形式の各対角線との対応関係で、それぞれ４つの転換点オフセット個所Ｖ若しくは相応に４つのオフセットされた転換点Ｗｖが存在している。この場合も、オフセットされた転換点Ｗｖは、独立的な第２の形式の転換点対角線として規定することができ、この第２の形式の転換点対角線では、第１の形式の転換点対角線Ｄｗに存在している規則性が、転換点の欠如により中断されている。
【００６９】
これまで記載した種々の実施例では、走行側である第１の織物層１１４において、第１の織物層１１４に組み込まれた接結糸若しくは接結糸対によって延長もされる平織りを設けることにより極めて高い規則性が形成され、第２の織物層では基本的に、ここに形成された接結セグメントＳ２の接結セグメント対角線に沿った配置によっても所定の規則性が形成されている。以下では、図１１〜図１４につき、両織物層１１４，１１６もしくは２つの接結糸ｉ１，ｉ２のための２つの基本組織緯糸１１８，１２０につき、第１の織物層１１４のための別の結合形式を示す。
【００７０】
図１１には、第１の織物層１１４の基本組織緯糸１１８がそれぞれ、第１の織物層１１４の４つの経糸の上で、第１の織物層１１４の外面に沿って浮いていて、次いで１つの経糸の下方で結合されていることが示されている。この場合、第１の織物層１１４には１−４組織が存在している。相応に、接結糸対によって形成された第１の織物層１１４の接結セグメントＳ１は、より多数の、この実施例では５つの経糸にわたって延びている。各接結糸対の異なる接結糸によって形成されている、緯糸方向で互いに直接続いている接結セグメントは、互いに直接的に接続されていて、即ち、経糸によって中断されていない。
【００７１】
図１２に示された構成では、第１の織物層１１４の基本組織緯糸１１８の浮きは、それぞれ２つの経糸にわたって延びているので、この場合、１−２組織が存在している。相応のパターンが、異なる接結糸対の接結糸によっても形成されている。この場合、第１の織物層１１４の接結セグメントＳ１は、全部で５つの経糸にわたって延びており、この場合、第１及び第２の経糸若しくは第４及び第５の経糸の上方に浮きが存在していて、接結糸は、これら５つの経糸のうち真ん中の経糸の下方で、即ちこの経糸の内側で延びている。従って、各接結セグメントＳ１は、緯糸方向で連続する接結セグメントＳ１がそれぞれ１つの経糸によって分離されていることに伴い、第１の織物層の組織をさらに形成する。
【００７２】
図１３には、図１１と同様に、第１の織物層における１−４組織が示されており、第１の織物層１１４の基本組織緯糸１１８は４つの経糸の外面に沿って浮いており、それぞれ第５の経糸の下方を通って延びている。この場合、第１の織物層１１４に形成される接結セグメントＳ１は、それぞれ４つの経糸にわたって延びている、即ち、４つの経糸の上方に１つの浮きが存在しているように形成されており、互いに連続する接結セグメントＳ１は、１つの経糸によって分離されている。即ち、この場合も、各接結糸対の接結糸が第１の織物層の基本組織緯糸１１８の組織を正確に継続して形成する。
【００７３】
図１４には、第１の織物層１１４の、ここに存在している基本組織緯糸１１８における１−４組織が、接結糸対の対応する組織と組み合わされて示されている。第１の織物層１１４の接結セグメントＳ１はそれぞれ５つの経糸を有しており、この場合それぞれ関与する接結糸は２つの経糸の外面に沿って浮いており、次いで１つの経糸の下方を通って延び、次いで再び２つの経糸の外面に沿って浮いており、次いで、同じ接結糸対のそれぞれ他方の接結糸によって形成されている接結セグメントへの転換が生じる。接結セグメントＳ１がここでも互いに直接接続されているので、即ち、経糸によって分離されていないので、それぞれ４つの経糸にわたって延びる１つの浮きが存在している組織パターンが生じるが、このような浮きは、２つの異なる接結糸の区分によって形成されている。
【００７４】
図１１〜図１４に示した全ての実施例では、第２の織物層１１６の接結セグメントＳ２はそれぞれ１つだけの経糸によって形成されている。接結セグメントＳ１の数は、各１つの接結糸リピートにおいて、特にこの場合、緯糸方向で見て、接結セグメントＳ２の数に相当する。
【００７５】
図１１〜図１４によればさらに、走行面、即ち、第２の織物層１１６のために、有利には、結合された基本組織緯糸１２０が外面に沿って比較的長い浮きを有している基本組織が選択されていることが判る。これによりこの場合、種々様々なガイドローラ又は駆動ローラと相互作用する比較的平らな表面が形成される。
【００７６】
走行側の織物層に存在する接結セグメント対角線に沿った接結セグメントの配置を有する本発明による構成は、勿論、接結糸が経糸方向で延びるように形成されている場合でも使用可能である。さらに、経糸方向にも緯糸方向にも延びる接結糸を設けることができる。この場合、経糸方向に延びる接結糸のためにも、緯糸方向で延びる接結糸のためにも、各接結セグメントの上記位置を実現することができる、もしくは互いにオーバーラップさせることができる。さらに、ウェブ材料を製造する機械のための織物帯では、接結糸は、それが緯糸として又は経糸として形成されていることとは関係なく、機械方向、即ち、帯走行方向で延びるように形成することができる、又は、機械横方向、即ち帯走行方向に対して横方向に延びるように形成することができる。
【００７７】
さらに、これまで専ら、２つの織物層を有した実施例のみを記載したが、本発明は、２つよりも多くの織物層、即ち例えば３つの織物層を有した織物帯でも使用することができる。従って、製造したいウェブ材料を受容するための表面となる第１の織物層と、種々の駆動ローラ又は変向ローラの上に載置するための背面を成す走行側の第２の織物層との間に第３の織物層を配置することができる。種々の織物層をまとめるための接結糸は、これら全ての織物層を貫通して延びており、即ち、接結セグメントも、第１の織物層及び第２の織物層、そして第３の織物層に形成される。しかしながら基本的には、上記詳しく説明した第２の織物層における接結セグメントを形成する接結糸は、第２の織物層を直接第３の織物層に結合することができる。さらに、第１の織物層を第３の織物層に結合する付加的な接結糸又は接結糸対を設けることができる。
【図１ａ】
2013513732.tif 000003
【図１ｂ】
2013513732.tif 000004
【図１ｃ】
2013513732.tif 000005
【図２ａ】
2013513732.tif 000006
【図２ｂ】
2013513732.tif 000007
【図３ａ】
2013513732.tif 000008
【図３ｂ】
2013513732.tif 000009
【図４ａ】
2013513732.tif 000010
【図４ｂ】
2013513732.tif 000011
【図５ａ】
2013513732.tif 000012
【図５ｂ】
2013513732.tif 000013
【図５ｃ】
2013513732.tif 000014
【図６ａ】
2013513732.tif 000015
【図６ｂ】
2013513732.tif 000016
【図６ｃ】
2013513732.tif 000017
【図７ａ】
2013513732.tif 000018
【図７ｂ】
2013513732.tif 000019
【図８ａ】
2013513732.tif 000020
【図８ｂ】
2013513732.tif 000021
【図９ａ】
2013513732.tif 000022
【図９ｂ】
2013513732.tif 000023
【図１０ａ】
2013513732.tif 000024
【図１０ｂ】
2013513732.tif 000025
【図１０ｃ】
2013513732.tif 000026
【図１１】
2013513732.tif 000027
【図１２】
2013513732.tif 000028
【図１３】
2013513732.tif 000029
【図１４】
2013513732.tif 000030
【国際調査報告】
2013513732.tif 000031
2013513732.tif 000032
2013513732.tif 000033
2013513732.tif 000034